(57)【要約】【課題】吸気口の閉塞を抑制して冷却能力を良好に維持することができる冷却装置及び該冷却装置を備える流体噴射装置を提供する。【解決手段】プリンターに備えられた冷却装置１６は、用紙Ｓに付着したインクの硬化を促進する光を照射する光照射装置１５と対向する位置に配置される吸気口３０ａと、吸気口３０ａを介して大気と連通する吸引室３０ｂと、吸引室３０ｂ内の空気を吸引するために駆動される冷却ファン３１と、吸気口３０ａを被覆する通気部材３２と、吸引室３０ｂ内に配置されて通気部材３２に摺接するクリーニングローラー３３と、を備える。【選択図】図３
2011126152.tif 000002
【特許請求の範囲】
【請求項１】
媒体に付着した流体の硬化を促進する光を照射する光照射装置と対向する位置に配置される吸気口と、
該吸気口を介して大気に連通する吸引室と、
該吸引室内の空気を吸引するために駆動される吸引機構と、
前記吸気口を被覆する通気部材と、
前記吸引室内に配置されて前記通気部材に摺接する清掃部材と、
を備えることを特徴とする冷却装置。
【請求項２】
前記清掃部材は、周面に複数の通気孔が設けられるとともに内部に前記通気孔と連通する空洞が設けられたクリーニングローラーであり、
前記空洞内を吸引する吸引ファンをさらに備えることを特徴とする請求項１に記載の冷却装置。
【請求項３】
前記クリーニングローラーは、軸線が前記媒体の搬送方向に沿うように配置されることを特徴とする請求項２に記載の冷却装置。
【請求項４】
前記通気孔の開口面積は、前記媒体の搬送方向において下流側よりも上流側の方が大きいことを特徴とする請求項２又は請求項３に記載の冷却装置。
【請求項５】
媒体に流体を噴射する流体噴射ヘッドと、前記媒体の搬送路と、該搬送路の幅方向の一方側において前記流体噴射ヘッドを前記搬送路に対向させて片持ち支持する支持板と、前記媒体に付着した流体の硬化を促進する光を照射する光照射装置とを有する流体噴射装置に備えられ、
前記通気孔の開口面積は、前記搬送路の幅方向において、前記一方側よりも他方側の方が大きいことを特徴とする請求項２〜請求項４のうち何れか一項に記載の冷却装置。
【請求項６】
媒体に流体を噴射する流体噴射ヘッドと、
前記媒体に付着した流体の硬化を促進する光を照射する光照射装置と、
該光照射装置と対向する位置に吸気口が配置される請求項１〜請求項５のうち何れか一項に記載の冷却装置と、を備えたことを特徴とする流体噴射装置。
【発明の詳細な説明】
【技術分野】
【０００１】
本発明は、冷却装置及び該冷却装置を備える流体噴射装置に関する。
【背景技術】
【０００２】
従来、インクジェット式プリンターなどの流体噴射装置には、いわゆる紫外線硬化型インクを噴射する流体噴射ヘッド（記録ヘッド）と、着弾したインクの硬化を促進するために紫外線を含む光を照射する光照射装置（紫外線照射装置）と、光照射装置と対向する位置に配置された冷却装置とを備えたものがあった。（例えば、特許文献１）。
【０００３】
特許文献１のインクジェット式プリンターに備えられた冷却装置は、吸気口を通じて外気を筐体内に導入するとともに、筐体内の空気をファンで排気することで、光照射装置及び受光部となる筐体を冷却するようにしていた。
【先行技術文献】
【特許文献】
【０００４】
【特許文献１】特開２００８−１７３８８４号公報
【発明の概要】
【発明が解決しようとする課題】
【０００５】
ところで、特許文献１においては、光照射装置と冷却装置との間をインクが付着した用紙などの媒体が通過するようになっていたため、こうした媒体が通気孔から筐体内に入り込まないように、通常、吸気口には例えばメッシュ等の通気部材が嵌め込まれる。そして、ファンの駆動に伴って外気とともに紙粉やインクミストなどの浮遊物質が吸気口から筐体内に吸引されると、そうした浮遊物質が吸気口の通気部材に付着することにより、吸気口が閉塞して冷却能力が低下してしまうという問題があった。
【０００６】
本発明は、上記問題点に鑑みてなされたものであり、その目的は、吸気口の閉塞を抑制して冷却能力を良好に維持することができる冷却装置及び該冷却装置を備える流体噴射装置を提供することにある。
【課題を解決するための手段】
【０００７】
上記目的を達成するために、本発明の冷却装置は、媒体に付着した流体の硬化を促進する光を照射する光照射装置と対向する位置に配置される吸気口と、該吸気口を介して大気と連通する吸引室と、該吸引室内の空気を吸引するために駆動される吸引機構と、前記吸気口を被覆する通気部材と、前記吸引室内に配置されて前記通気部材に摺接する清掃部材と、を備える。
【０００８】
この構成によれば、空気とともに紙粉やインクミストなどの浮遊物質が吸引されて吸気口の通気部材に付着した場合にも、吸引室内に配置された清掃部材が通気部材に摺接することで付着物を除去することができる。したがって、吸気口の閉塞を抑制して冷却能力を良好に維持することができる。
【０００９】
本発明の冷却装置において、前記清掃部材は、周面に複数の通気孔が設けられるとともに内部に前記通気孔と連通する空洞が設けられたクリーニングローラーであり、前記空洞内を吸引する吸引ファンをさらに備える。
【００１０】
この構成によれば、清掃部材はクリーニングローラーであるので、回転に伴って効率よく清掃を行うことができる。また、吸引ファンが空洞内を吸引することで、吸気口の通気部材から除去した付着物を排出したり、通気孔付近の浮遊物質を吸引したりすることができる。これにより、クリーニングローラーの清掃機能を保持するとともに、吸引機構に対する浮遊物質の付着を抑制することができる。
【００１１】
本発明の冷却装置において、前記クリーニングローラーは、軸線が前記媒体の搬送方向に沿うように配置される。
この構成によれば、クリーニングローラーは軸線が媒体の搬送方向に沿うように配置されるので、媒体の巻き込みを抑制することができる。
【００１２】
本発明の冷却装置において、前記通気孔の開口面積は、前記媒体の搬送方向において下流側よりも上流側の方が大きい。
この構成によれば、媒体の搬送方向においては、下流側よりも上流側の方が空気中に浮遊する浮遊物質量が多い傾向があるが、通気孔の開口面積は媒体の搬送方向において下流側よりも上流側の方が大きいので、浮遊物質を効率よく吸引することができる。
【００１３】
また、本発明の冷却装置は、媒体に流体を噴射する流体噴射ヘッドと、前記媒体の搬送路と、該搬送路の幅方向の一方側において前記流体噴射ヘッドを前記搬送路に対向させて片持ち支持する支持板と、前記媒体に付着した流体の硬化を促進する光を照射する光照射装置とを有する流体噴射装置に備えられ、前記通気孔の開口面積は、前記搬送路の幅方向において、前記一方側よりも他方側の方が大きい。
【００１４】
この構成によれば、流体噴射ヘッドは支持板に片持ち支持されるので、搬送路の幅方向においては、支持板に近い一方側よりも開放された他方側の方が空気の流量や流速が大きく、浮遊物質量も多い傾向がある。そして、通気孔の開口面積は搬送路の幅方向において一方側よりも他方側の方が大きいので、浮遊物質を効率よく吸引することができる。
【００１５】
上記目的を達成するために、本発明の流体噴射装置は、媒体に流体を噴射する流体噴射ヘッドと、前記媒体に付着した流体の硬化を促進する光を照射する光照射装置と、該光照射装置と対向する位置に吸気口が配置される上記冷却装置とを備える。
【００１６】
この構成によれば、上記冷却装置と同様の作用効果が得られる。
【図面の簡単な説明】
【００１７】
【図１】第１実施形態のプリンターの概略構成を示す正面図。
【図２】図１におけるＡ―Ａ線矢視端面図。
【図３】第１実施形態の冷却装置の概略構成を説明するための断面図。
【図４】図３におけるＢ―Ｂ線矢視断面図。
【図５】第２実施形態の冷却装置の概略構成を説明するための断面図。
【図６】第３実施形態の冷却装置の概略構成を説明するための断面図。
【図７】第４実施形態の冷却装置の概略構成を説明するための断面図。
【図８】第５実施形態の冷却装置の概略構成を説明するための断面図。
【図９】図８におけるＣ―Ｃ線矢視断面図。
【発明を実施するための形態】
【００１８】
（第１実施形態）
始めに、本発明を流体噴射装置の一種であるインクジェット式プリンター（以下、単に「プリンター」という）に具体化した第１実施形態を図１〜図４を用いて説明する。なお、以下の説明において、「前後方向」、「左右方向」、「上下方向」をいう場合は、各図中に矢印で示した方向を基準として示すものとする。
【００１９】
図１に示すプリンター１１は、支持板１２、搬送機構１３、ヘッドユニット１４、光照射装置１５及び冷却装置１６を備えている。搬送機構１３は、搬送路を構成するプラテンドラム２０、回転軸２１、給紙ローラー２２、第１ローラー２３、第２ローラー２４及び巻取ローラー２５を備える。媒体としての用紙Ｓは長尺紙で、給紙ローラー２２から巻き解かれて第１ローラー２３、プラテンドラム２０及び第２ローラー２４に巻き掛けられ、巻取ローラー２５に巻き取られる。
【００２０】
図２に示すように、プラテンドラム２０は前後方向と一致する幅方向Ｙに沿って軸線が延びる円柱形状をなし、図示しない搬送モーターの駆動に伴って回転する回転軸２１に一体回転可能な態様で支持されている。また、プラテンドラム２０は回転軸２１を介して幅方向Ｙの一方側（後方側）において支持板１２に片持ち支持されている。なお、用紙Ｓは所定の張力を有してプラテンドラム２０に巻き掛けられ、給紙ローラー２２、プラテンドラム２０及び巻取ローラー２５の回転に伴って搬送される。
【００２１】
図１に示すように、ヘッドユニット１４はプラテンドラム２０を囲むように複数（本実施形態では６つ）配置されている。なお、ヘッドユニット１４の数は任意に設定することができる。各ヘッドユニット１４は、プラテンドラム２０と対向する部分に紫外線と反応して硬化する流体としての紫外線硬化型インク（以下、単に「インク」という）を用紙Ｓに対して噴射する流体噴射ヘッド２６を備えている。
【００２２】
すなわち、支持板１２は幅方向Ｙの一方側（後方側）において、ヘッドユニット１４を介して流体噴射ヘッド２６をプラテンドラム２０に対向させて片持ち支持する態様となっている。そして、裏面側がプラテンドラム２０に巻き掛けられた用紙Ｓは、その表面側に流体噴射ヘッド２６から噴射されたインクを受容し、図１に矢印で示す搬送方向Ｘに沿って第２ローラー２４の方へ搬送される。
【００２３】
図３に示すように、光照射装置１５は、搬送方向Ｘにおいてヘッドユニット１４の下流側に、用紙Ｓのインクを受容する表面と対向する態様で配置され、用紙Ｓに付着したインクＩｎの硬化を促進する光を照射する。光照射装置１５は、紫外線を含む光を照射する光源２７と、光源２７から照射される光が用紙Ｓの表面に向けて照射されるように光の照射方向を調整する反射鏡２８とを備えている。光源２７は例えばメタルハライドランプが使用される。
【００２４】
冷却装置１６は用紙Ｓの厚さ方向Ｚにおいて光照射装置１５と用紙Ｓを介して対向するように、用紙Ｓの裏面側に配置される。なお、光照射装置１５及び冷却装置１６は何れも用紙Ｓと接触しないように、所定の離間距離を有して支持板１２に固定されている。
【００２５】
冷却装置１６は筐体３０と、冷却ファン３１とを備える。筐体３０の光照射装置１５と対向する位置には吸気口３０ａが配置されるとともに、筐体３０内は吸気口３０ａを介して大気に連通する吸引室３０ｂとなっている。冷却ファン３１は、吸引室３０ｂ内の空気を吸引するために駆動される吸引機構を構成する。また、吸気口３０ａはメッシュ状の通気部材３２で被覆されている。
【００２６】
吸引室３０ｂ内には通気部材３２に摺接する清掃部材としてのクリーニングローラー３３が配置されている。クリーニングローラー３３の軸線は用紙Ｓの搬送方向Ｘに沿うように配置されているとともに、クリーニングローラー３３は周面に複数の通気孔３３ａが設けられている。通気孔３３ａの開口面積は、搬送方向Ｘにおいて下流側よりも上流側の方が大きくなっている。
【００２７】
図４に示すように、クリーニングローラー３３は内部に通気孔３３ａと連通する空洞が設けられているとともに、幅方向Ｙに沿って複数配置されている。なお、クリーニングローラー３３の直径や配置数は、幅方向Ｙにおけるクリーニングローラー３３の設置幅が用紙Ｓの幅よりも大きくなるように設定される。また、用紙Ｓの幅方向Ｙにおける端部付近にクリーニングローラー３３が配置される。そして、各クリーニングローラー３３の通気孔３３ａの開口面積は、幅方向Ｙにおいて、一方側（後方側）よりも他方側（前方側）の方が大きくなっている。
【００２８】
図３に示すように、クリーニングローラー３３の搬送方向Ｘにおける上流側にはクリーニングローラー３３の空洞内を吸引する吸引ファン３４が設けられている。また、クリーニングローラー３３の搬送方向Ｘにおける下流側にはクリーニングローラー３３を回転させるためのモーター３５が設けられている。
【００２９】
各吸引ファン３４は個別に吸引力が調整可能であり、幅方向Ｙにおいて光照射装置１５と通気部材３２との間に位置する用紙Ｓの端部付近を用紙Ｓの中央部よりも強く吸引するように吸引力が調整される。また、吸引ファン３４の吸引力は冷却ファン３１の吸引力よりも弱くなるように設定されるとともに、吸引ファン３４及び冷却ファン３１の吸引力は、用紙Ｓを吸着しない程度に抑えられている。
【００３０】
次に、冷却装置１６の作用について説明する。
用紙Ｓが給紙ローラー２２から巻取ローラー２５に向かって搬送されると、プラテンドラム２０に巻き掛けられた用紙Ｓの表面に各流体噴射ヘッド２６からインクが順次噴射される。その後、搬送方向Ｘに搬送された用紙Ｓは、光照射装置１５の光を受光する受光位置において表面に光の照射を受け、付着したインクＩｎの乾燥が促進される。このとき、メタルハライドランプなどの光源２７から照射される光には紫外線以外の成分も含まれることから、光照射装置１５に加えて光の照射を受ける用紙Ｓや冷却装置１６の温度上昇を招いてしまう。
【００３１】
そこで、冷却ファン３１を駆動すると、吸引室３０ｂ内の空気が図示しない排気ダクトを通じて排気されるとともに、通気部材３２を通じて吸引室３０ｂ内に外気が吸引される。すると、吸引された空気が光照射装置１５、用紙Ｓ及び通気部材３２の熱を奪い、吸引室３０ｂから筐体３０外に排気（排熱）されるので、光照射装置１５、用紙Ｓ及び冷却装置１６が冷却される。特に、用紙Ｓの幅が狭い場合には、間に用紙Ｓを介さずに通気部材３２が直接光を受光することになるが、吸引ファン３４は幅方向Ｙにおいて用紙Ｓの端部付近を強く吸引するように吸引力が調整されるので、受光に伴う温度上昇が大きい通気部材３２の端部側が効率よく冷却される。
【００３２】
また、モーター３５を駆動すると、クリーニングローラー３３が回転して通気部材３２に摺接する。すると、クリーニングローラー３３が外気とともに吸引されて通気部材３２に付着した紙粉やインクミストなどの浮遊物質が掻き取るので、通気部材３２が清掃される。
【００３３】
さらに、吸引ファン３４を駆動すると、掻き取られた付着物が風圧でクリーニングローラー３３から剥ぎ取られ、空洞を通じて排出される。なお、吸引ファン３４に付着物を回収するためのフィルターを交換可能に設けてもよい。また、吸引ファン３４の吸引力は冷却ファン３１の吸引力よりも弱いので、通気孔３３ａを通じて外気を吸引することを妨げない。
【００３４】
以上説明した第１実施形態によれば、以下のような効果を得ることができる。
（１）空気とともに紙粉やインクミストなどの浮遊物質が吸引されて吸気口３０ａの通気部材３２に付着した場合にも、吸引室３０ｂ内に配置されたクリーニングローラー３３が通気部材３２に摺接することで付着物を除去することができる。したがって、吸気口３０ａの閉塞を抑制して冷却能力を良好に維持することができる。
【００３５】
（２）クリーニングローラー３３の回転に伴って効率よく通気部材３２の清掃を行うことができる。また、吸引ファン３４がクリーニングローラー３３の空洞内を吸引することで、吸気口３０ａの通気部材３２から除去した付着物を排出したり、通気孔３３ａ付近の浮遊物質を吸引したりすることができる。これにより、クリーニングローラーの清掃機能を保持するとともに、冷却ファン３１に対する浮遊物質の付着を抑制することができる。
【００３６】
（３）クリーニングローラー３３は軸線が用紙Ｓの搬送方向Ｘに沿うように配置されるので、用紙Ｓの巻き込みを抑制することができる。
（４）用紙Ｓの搬送方向Ｘにおいては、下流側よりも上流側の方が空気中に浮遊する浮遊物質量が多い傾向があるが、クリーニングローラー３３には搬送方向Ｘにおいて上流側に吸引ファン３４が設けられ、通気孔３３ａの開口面積は用紙Ｓの搬送方向Ｘにおいて下流側よりも上流側の方が大きいので、浮遊物質を効率よく吸引することができる。
【００３７】
（５）流体噴射ヘッド２６及びプラテンドラム２０は支持板１２に片持ち支持されるので、幅方向Ｙにおいては、支持板１２に近い一方側（後方側）よりも開放された他方側（前方側）の方が空気の流量や流速が大きく、浮遊物質量も多い傾向がある。そして、通気孔３３ａの開口面積は幅方向Ｙにおいて後方側よりも前方側の方が大きいので、浮遊物質を効率よく吸引することができる。
【００３８】
（第２実施形態）
次に、本発明の第２実施形態を図５に基づいて説明する。なお、第２実施形態は、第１実施形態とは冷却装置１６の構成を変更した点が相違しているものの、その他の構成は共通しているため、以下にその相違点について主に説明する。
【００３９】
図５に示すように、本実施形態の冷却装置１６には、通気孔４０ａの開口面積が異なる複数のクリーニングローラー４０が設けられている。各クリーニングローラー４０における通気孔４０ａの開口面積は、搬送方向Ｘにおいては等しくなっている。一方、幅方向Ｙに並ぶ各クリーニングローラー４０においては、一方側（後方側）のクリーニングローラー４０よりも他方側（前方側）のクリーニングローラー４０の方が通気孔４０ａの開口面積が大きくなっている。
【００４０】
各クリーニングローラー４０の周面には螺旋状に配置されたブラシ部４０ｂが立設されている。そして、クリーニングローラー４０の回転に伴ってブラシ部４０ｂが通気部材３２に摺接するので、通気部材３２の付着物を効率よく掻き取ることができる。また、ブラシ部４０ｂで掻き取られた付着物は、通気孔４０ａを通じて吸引される。このとき、ブラシ部４０ｂは螺旋状に配置されているので、搬送方向Ｘの上流側から下流側に向けて付着物が掃き取られるが、下流側にも上流側と開口面積が等しい通気孔４０ａが設けられているので、掻き取った付着物をスムーズに吸引することができる。
【００４１】
以上説明した第２実施形態によれば、上記（１）〜（３）及び（５）と同様の効果に加えて、以下の効果を得ることができる。
（６）用紙Ｓの搬送方向Ｘにおいては、下流側よりも上流側の方が空気中に浮遊する浮遊物質量が多い傾向があるが、クリーニングローラー４０の搬送方向Ｘにおいて上流側に吸引ファン３４が設けられているので、上流側の吸引力を大きくして浮遊物質を効率よく吸引することができる。
【００４２】
（第３実施形態）
次に、本発明の第３実施形態を図６に基づいて説明する。なお、第３実施形態は、第１実施形態とは冷却装置１６の構成を変更した点が相違しているものの、その他の構成は共通しているため、以下にその相違点について主に説明する。
【００４３】
図６に示すように、本実施形態の冷却装置１６に備えられたクリーニングローラー５０〜５４は軸線が搬送方向Ｘ及び幅方向Ｙと斜めに交差するように配置されているとともに、通気部材３２に対する摺接範囲に応じて長さが異なっている。そして、クリーニングローラー５０〜５４はそれぞれ開口面積の異なる通気孔５０ａ〜５４ａを有しているとともに、通気孔５０ａ〜５４ａの開口面積が搬送方向Ｘにおいては下流側より上流側の方が大きくなるように、幅方向Ｙにおいては一方側（後方側）よりも他方側（前方側）の方が大きくなるように配置されている。
以上説明した第３実施形態によれば、上記（１），（２），（４），（５）と同様の効果を得ることができる。
（第４実施形態）
次に、本発明の第４実施形態を図７に基づいて説明する。なお、第４実施形態は、第１実施形態とは冷却装置１６の構成を変更した点が相違しているものの、その他の構成は共通しているため、以下にその相違点について主に説明する。
【００４４】
図７に示すように、冷却装置１６は清掃部材としての無端状のクリーニングベルト６０、駆動ローラー６１、従動ローラー６２、駆動ローラー６１を回転させるための駆動源であるモーター６３及び吸引機構を構成する吸引ファン６４，６５を備えている。
【００４５】
クリーニングベルト６０は駆動ローラー６１及び従動ローラー６２に巻き掛けられている。また、駆動ローラー６１及び従動ローラー６２は軸線が搬送方向Ｘに沿うように配置されるとともに、駆動ローラー６１及び従動ローラー６２は幅方向Ｙにおいて用紙Ｓの端部付近に設けられている。そして、吸引ファン６４，６５は搬送方向Ｘにおいて駆動ローラー６１及び従動ローラー６２の上流側に設けられている。
【００４６】
クリーニングベルト６０には複数の通気孔６０ａが設けられているとともに、駆動ローラー６１及び従動ローラー６２にも図示しない複数の通気孔が設けられている。駆動ローラー６１及び従動ローラー６２の通気孔はクリーニングベルト６０と対応する位置に設けられているとともに、駆動ローラー６１及び従動ローラー６２の通気孔並びにクリーニングベルト６０の通気孔６０ａは搬送方向Ｘにおける上流側ほどその開口面積が大きくなっている。
【００４７】
また、クリーニングベルト６０には複数のブラシ部６０ｂが立設されている。したがって、モーター６３が駆動されて駆動ローラー６１が回転するのに伴って、クリーニングベルト６０が周回移動するとともに、ブラシ部６０ｂが通気部材３２に摺接する。
【００４８】
駆動ローラー６１及び従動ローラー６２の内部には各通気孔と連通する空洞が設けられ、各吸引ファン６４，６５は駆動ローラー６１及び従動ローラー６２の空洞内の空気を吸引するようになっている。したがって、吸引ファン６４，６５が駆動されると、駆動ローラー６１及び従動ローラー６２の通気孔並びにクリーニングベルト６０の通気孔６０ａを通じて、用紙Ｓの端部付近の空気が吸引される。
【００４９】
これにより、用紙Ｓの端部付近を冷却装置１６側に引きつけ、用紙Ｓの光照射装置１５に対する接触が抑制される。また、用紙Ｓの幅が狭い場合には、間に用紙Ｓを介さずに直接通気部材３２が光を受光することになるが、吸引ファン６４，６５の駆動により、受光に伴う温度上昇が大きい通気部材３２の端部側が効率よく冷却される。また、幅方向Ｙにおける他方側（前方側）の吸引力を一方側（後方側）よりも大きくするために、吸引ファン６４の吸引量は吸引ファン６５の吸引量よりも大きく設定される。
【００５０】
以上説明した第３実施形態によれば、（１）及び（４）と同様の効果に加えて、以下の効果を得ることができる。
（７）駆動ローラー６１及び従動ローラー６２は軸線が用紙Ｓの搬送方向Ｘに沿うように配置されるので、用紙Ｓの巻き込みを抑制することができる。
【００５１】
（８）流体噴射ヘッド２６及びプラテンドラム２０は支持板１２に片持ち支持されるので、幅方向Ｙにおいては、支持板１２に近い一方側（後方側）よりも開放された他方側（前方側）の方が空気の流量や流速が大きく、浮遊物質量も多い傾向がある。そして、吸引ファン６４の吸引量は吸引ファン６５の吸引量よりも大きいので、浮遊物質を効率よく吸引することができる。
（第５実施形態）
次に、本発明の第５実施形態を図８及び図９に基づいて説明する。なお、第５実施形態は、第１実施形態とは冷却装置１６の構成を変更した点が相違しているものの、その他の構成は共通しているため、以下にその相違点について主に説明する。
【００５２】
図８に示すように、冷却装置１６は筐体７０、冷却ファン７１、通気部材７２、清掃部材７３、清掃部材７３を支持する回転軸７４及び清掃部材７３とともに回転軸７４を回転させるための駆動源であるモーター７５を備えている。なお、吸引室７０ｂ内の空気を吸引する冷却ファン７１は筐体７０の搬送方向Ｘにおいては上流側となる位置に、幅方向Ｙにおいては他方側（前方側）となる位置に配置されている。
【００５３】
図９に示すように、通気部材７２及び筐体７０の吸気口７０ａは正面視円形状に形成されている。また、清掃部材７３は回転軸７４から放射状に伸びるように形成され、通気部材７２側にはブラシ部７３ａが立設されている。したがって、モーター７５の駆動に伴って、例えば図９における時計回り方向に清掃部材７３が回転すると、ブラシ部７３ａが通気部材７２に摺接して付着物を掻き取る。
【００５４】
以上説明した第５実施形態によれば、上記（１）と同様の効果に加えて、以下の効果を得ることができる。
（９）用紙Ｓの搬送方向Ｘにおいては、下流側よりも上流側の方が空気中に浮遊する浮遊物質量が多い傾向があるが、冷却ファン７１は筐体７０の搬送方向Ｘにおける上流側となる位置に配置されているので、上流側の吸引力を大きくして浮遊物質を効率よく吸引することができる。
【００５５】
（１０）冷却ファン７１は、幅方向Ｙにおいては筐体７０の他方側（前方側）となる位置に配置されているので、浮遊物質量が多い前方側の吸引力を大きくして浮遊物質を効率よく吸引することができる。
【００５６】
なお、上記各実施形態は以下のように変更してもよい。
・クリーニングローラー３３，５０〜５４がブラシ部を備えて、該ブラシ部が通気部材３２に摺接するようにしてもよい。
【００５７】
・クリーニングローラー３３，４０，５０〜５４の設置数は任意に設定することができる。
・クリーニングローラー３３，４０の軸線が幅方向Ｙに沿うように配置されてもよいし、駆動ローラー６１及び従動ローラー６２の軸線が幅方向Ｙに沿うように配置されてもよい。
【００５８】
・支持板１２がヘッドユニット１４、プラテンドラム２０、光照射装置１５及び冷却装置１６を支持しない背面板であってもよい。この場合にも、前方側が開放されていれば、開放された前方側の方が空気の流量や流速が大きくなり、浮遊物質量が多い傾向になるので、前方側の通気孔の開口面積を背面板側よりも大きくするなどして前方側の吸引量を大きくすれば、浮遊物質を効率よく吸引することができる。
【００５９】
・搬送方向Ｘの上流側において吸引力が強くなるように、クリーニングローラー３３，４０，５０〜５４又は駆動ローラー６１及び従動ローラー６２内に隔壁を設けて空洞内に圧力差を発生させるようにしてもよい。
【００６０】
・流体を受容する媒体は、樹脂、金属、ガラス、セラミック等のインクが浸透しない材料で製造されたフィルムや、食物繊維を原料としてインクが浸透する用紙としてもよい。
・媒体は長尺紙に限らず、単票紙など所定長さにカットされたシート状媒体を用いてもよい。
【００６１】
・搬送路は平面状の支持面を有する板状のプラテンから構成してもよい。
・光源２７はメタルハライドランプに限らず、硬化させる流体に応じて、水銀ランプなど任意の光源を利用することができる。
【００６２】
・上記実施形態では、流体噴射装置をインクジェット式プリンターに具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、光通信素子等に用いられる微小半球レンズ（光学レンズ）などを形成するために紫外線硬化樹脂等の透明樹脂液を基板上に噴射する液体噴射装置を採用してもよい。
【符号の説明】
【００６３】
１１…流体噴射装置としてのプリンター、１２…支持板、１５…光照射装置、１６…冷却装置、２０…搬送路を構成するプラテンドラム、２６…流体噴射ヘッド、３０ａ，７０ａ…吸気口、３０ｂ，７０ｂ…吸引室、３１，７１…吸引機構を構成する冷却ファン、３２，７２…通気部材、３３，４０，５０〜５４…清掃部材としてのクリーニングローラー、３３ａ，４０ａ，５０ａ，５１ａ，５２ａ，５３ａ，５４ａ，６０ａ…通気孔、３４，６４，６５…吸引ファン、６０…清掃部材としてのクリーニングベルト、７３…清掃部材、Ｉｎ…媒体に付着した流体としてのインク、Ｓ…媒体としての用紙、Ｘ…搬送方向、Ｙ…幅方向。
【図１】
2011126152.tif 000003
【図２】
2011126152.tif 000004
【図３】
2011126152.tif 000005
【図４】
2011126152.tif 000006
【図５】
2011126152.tif 000007
【図６】
2011126152.tif 000008
【図７】
2011126152.tif 000009
【図８】
2011126152.tif 000010
【図９】
2011126152.tif 000011